(57)【要約】【課題】  ドライバの個人差や状況による違いまで考慮し、よりきめ細かくドライバに適応し支援することができるようにする。【解決手段】  この発明の運転支援システムは、ドライバの運転を支援するシステムであり、ドライバに走行ルートを案内するカーナビゲーション部１と、ドライバの動作をモニタリングするドライバモニタリング部２と、車両の外部環境を検出する外部環境検出部３と、車両の状態を検出する車両状態検出部４と、カーナビゲーション部１、ドライバモニタリング部２、外部環境検出部３および車両状態検出部４からの情報に基づいて、運転状況の把握を行い、所定条件の下で指令信号Ｓを出力する情報処理手段５と、その指令信号Ｓに基づいて作動しドライバに指令を伝達する情報伝達部６と、を備えることを特徴としている。【選択図】  図１ 
2005209073.tif 000002
【特許請求の範囲】
【請求項１】
ドライバの運転を支援する運転支援システムにおいて、
ドライバに走行ルートを案内するカーナビゲーション部と、
ドライバの動作をモニタリングするドライバモニタリング部と、
車両の外部環境を検出する外部環境検出部と、
車両の状態を検出する車両状態検出部と、
上記カーナビゲーション部、ドライバモニタリング部、外部環境検出部および車両状態検出部からの情報に基づいて、運転状況の把握を行い、所定条件の下で指令信号を出力する情報処理手段と、
上記指令信号に基づいて作動しドライバに指令を伝達する情報伝達部と、
を備えることを特徴とする運転支援システム。
【請求項２】
地図情報が格納されている地図情報格納部と、
ドライバに関する情報およびルール情報が格納されているドライバおよびルール情報格納部と、を有し、
上記情報処理手段は、地図情報格納部の地図情報とドライバおよびルール情報格納部の情報とを参照して、上記運転状況の把握を行う、請求項１に記載の運転支援システム。
【請求項３】
上記情報処理手段は、カーナビゲーション部から一時停止位置情報を受けた場合、外部環境検出部から車両前方の障害物情報を受けた場合、また外部環境検出部から前方車両までの距離情報を受けた場合の何れかの場合、上記運転状況の把握に基づいて、この先減速が必要となるという情報を提供するタイミングを決定する情報提供ラインを生成し、その情報提供ラインに基づいて指令信号を出力し、ドライバに一時停止位置、障害物または前方車両に接近している旨を伝える、請求項１または２に記載の運転支援システム。
【請求項４】
上記情報提供ラインは、一時停止位置、障害物または前方車両に接近している自車両の速度が適正であるか否かを判定する基準となるラインである、請求項３に記載の運転支援システム。
【請求項５】
上記情報処理手段は、ドライバの通常の減速度情報およびドライバの通常の反応時間情報に基づいて減速注意指示ラインを生成し、情報提供ラインに基づく指令信号の出力後その減速注意指示ラインに基づいて指令信号を出力し、ドライバに減速が必要である旨を伝える、請求項３または４に記載の運転支援システム。
【請求項６】
上記減速注意指示ラインは、ドライバが足をブレーキペダルの上に置いているかどうかの情報に応じて生成される、請求項５に記載の運転支援システム。
【請求項７】
上記情報提供ラインおよび減速注意指示ラインは、ドライバの動作情報により判定したドライバの覚醒度合に応じて生成される、請求項３から６の何れかに記載の運転支援システム。
【請求項８】
上記情報処理手段は、ドライバの緊急時の減速度情報およびドライバの緊急時の反応時間情報に基づいてブレーキ警告ラインを生成し、減速注意指示ラインに基づく指令信号の出力後そのブレーキ警告ラインに基づいて指令信号を出力し、ドライバに速やかなブレーキ操作が必要である旨を伝える、請求項６または７に記載の運転支援システム。
【請求項９】
上記情報処理手段は、緊急時制動距離情報、路面状況情報に基づいてブレーキ制御支援ラインを生成し、ブレーキ警告ラインに基づく指令信号の出力後そのブレーキ制御支援ラインに基づいて指令信号を出力し、緊急ブレーキ制御を自動で行う、請求項８に記載の運転支援システム。
【発明の詳細な説明】
【技術分野】
【０００１】
本発明は、ドライバの運転を支援する運転支援システムに関するものである。
【背景技術】
【０００２】
近年、道路交通の様々な問題解決や効率化のために、ＩＴＳ（Intelligent Transport Systems：高度道路交通システム）に関する研究が盛んである。その中で、交通事故や渋滞などの本質的な解決に期待されるＡＶＣＳＳ（Advanced Vehicle Control and Safety Systems：先進車両制御安全システム）に関する自動運転や運転支援の研究も盛んに行われている。
【０００３】
特に運転を支援するシステムでは、ドライバの状態や運転行動、走行環境などに基づき種々様々な情報の提供、警告、操作の支援などが考えられている。この情報提供、警告、操作支援などについては、いつ、どのように行えばドライバの受容性が高く、また、その後の運転行動に対する迅速かつ円滑な反応を導き出すことが可能であるかの検討が非常に重要となる。さらに、ドライバの特性は個々で異なり、ドライバの状態も常に変化しているため、このことにも考慮し、ドライバの受容性を含めた最適な反応を導き出すようなシステムの構築が求められている。このようなシステムの設計は非常に困難ではあるが、例えば下記の非特許文献１に開示されているような、ドライバへの適応を目指した運転支援システムとして様々なアプローチによる研究が行われつつある。
【非特許文献１】津川、加藤：ドライバ適応型運転支援システム：システムの提案と実験、アドバンティシンポジウム２００３論文集、ｐｐ．５−１０（２００３）
【０００４】
しかし、従来の運転支援システムでは、ドライバの個人差や状況による違いにまで的確に対応したものとは言えないものであった。
【発明の開示】
【発明が解決しようとする課題】
【０００５】
この発明は上記に鑑み提案されたもので、ドライバの個人差や状況による違いまで考慮し、よりきめ細かくドライバに適応し支援することができる運転支援システムを提供することを目的とする。
【課題を解決するための手段】
【０００６】
上記目的を達成するために、請求項１に記載の発明は、ドライバの運転を支援する運転支援システムにおいて、ドライバに走行ルートを案内するカーナビゲーション部と、ドライバの動作をモニタリングするドライバモニタリング部と、車両の外部環境を検出する外部環境検出部と、車両の状態を検出する車両状態検出部と、上記カーナビゲーション部、ドライバモニタリング部、外部環境検出部および車両状態検出部からの情報に基づいて、運転状況の把握を行い、所定条件の下で指令信号を出力する情報処理手段と、上記指令信号に基づいて作動しドライバに指令を伝達する情報伝達部と、を備えることを特徴としている。
【０００７】
また、請求項２に記載の発明は、上記した請求項１に記載の発明の構成に加えて、地図情報が格納されている地図情報格納部と、ドライバに関する情報およびルール情報が格納されているドライバおよびルール情報格納部と、を有し、上記情報処理手段は、地図情報格納部の地図情報とドライバおよびルール情報格納部の情報とを参照して、上記運転状況の把握を行う、ことを特徴としている。
【０００８】
また、請求項３に記載の発明は、上記した請求項１または２に記載の発明の構成に加えて、上記情報処理手段は、カーナビゲーション部から一時停止位置情報を受けた場合、外部環境検出部から車両前方の障害物情報を受けた場合、また外部環境検出部から前方車両までの距離情報を受けた場合の何れかの場合、上記運転状況の把握に基づいて、この先減速が必要となるという情報を提供するタイミングを決定する情報提供ラインを生成し、その情報提供ラインに基づいて指令信号を出力し、ドライバに一時停止位置、障害物または前方車両に接近している旨を伝える、ことを特徴としている。
【０００９】
また、請求項４に記載の発明は、上記した請求項３に記載の発明の構成に加えて、上記情報提供ラインは、一時停止位置、障害物または前方車両に接近している自車両の速度が適正であるか否かを判定する基準となるラインである、ことを特徴としている。
【００１０】
また、請求項５に記載の発明は、上記した請求項３または４に記載の発明の構成に加えて、上記情報処理手段は、ドライバの通常の減速度情報およびドライバの通常の反応時間情報に基づいて減速注意指示ラインを生成し、情報提供ラインに基づく指令信号の出力後その減速注意指示ラインに基づいて指令信号を出力し、ドライバに減速が必要である旨を伝える、ことを特徴としている。
【００１１】
また、請求項６に記載の発明は、上記した請求項５に記載の発明の構成に加えて、上記減速注意指示ラインは、ドライバが足をブレーキペダルの上に置いているかどうかの情報に応じて生成される、ことを特徴としている。
【００１２】
また、請求項７に記載の発明は、上記した請求項３から６の何れかに記載の発明の構成に加えて、上記情報提供ラインおよび減速注意指示ラインは、ドライバの動作情報により判定したドライバの覚醒度合に応じて生成される、ことを特徴としている。
【００１３】
また、請求項８に記載の発明は、上記した請求項６または７に記載の発明の構成に加えて、上記情報処理手段は、ドライバの緊急時の減速度情報およびドライバの緊急時の反応時間情報に基づいてブレーキ警告ラインを生成し、減速注意指示ラインに基づく指令信号の出力後そのブレーキ警告ラインに基づいて指令信号を出力し、ドライバに速やかなブレーキ操作が必要である旨を伝える、ことを特徴としている。
【００１４】
さらに、請求項９に記載の発明は、上記した請求項８に記載の発明の構成に加えて、上記情報処理手段は、緊急時制動距離情報、路面状況情報に基づいてブレーキ制御支援ラインを生成し、ブレーキ警告ラインに基づく指令信号の出力後そのブレーキ制御支援ラインに基づいて指令信号を出力し、緊急ブレーキ制御を自動で行う、ことを特徴としている。
【発明の効果】
【００１５】
この発明では、カーナビゲーション情報、ドライバ動作のモニタリング情報、外部環境情報および車両状態検出情報に基づいて把握した運転状況によって、ドライバに指令するようにしたので、ドライバの個人差や状況による違いまで考慮することができ、したがって、よりきめ細かくドライバに適応した、親切ではあるがお節介ではない運転支援を行うことができる。
【００１６】
また、一時停止位置情報、車両前方の障害物情報、また前方車両までの距離情報を受けた場合、この先減速が必要となるという情報を提供するタイミングを決定する情報提供ラインに基づいて、ドライバに指令するようにしたので、的確なタイミングで指令を出すことができる。
【００１７】
また、車両が一時停止位置、障害物または前方車両に接近するに応じて、情報提供ライン、減速注意指示ライン、ブレーキ警告ライン、ブレーキ制御支援ラインを生成するようにしたので、運転状況に応じて順次指令内容が変化し、運転支援をより一層的確なものとすることができる。
【００１８】
さらに、減速注意指示ラインは、ドライバが足をブレーキペダルの上に置いているかどうかの情報に応じて生成されるので、ドライバの運転操作特性が考慮され、したがって、運転支援を一層きめ細かく的確なものとすることができる。
【００１９】
また、情報提供ラインおよび減速注意指示ラインの生成にあたっては、ドライバの動作情報により判定したドライバの覚醒度合いまで考慮しているので、自車両との距離だけで警告する従来の場合に比べて、より一層きめ細かくドライバに適応した運転支援を行うことができる。
【発明を実施するための最良の形態】
【００２０】
以下にこの発明の実施の形態を図面に基づいて詳細に説明する。
【００２１】
図１はこの発明の運転支援システムの構成を示すブロック図である。図において、この発明の運転支援システムは、ドライバの運転を支援するシステムであり、ドライバに走行ルートを案内するカーナビゲーション部１と、ドライバの動作をモニタリングするドライバモニタリング部２と、車両の外部環境を検出する外部環境検出部３と、車両の状態を検出する車両状態検出部４と、カーナビゲーション部１、ドライバモニタリング部２、外部環境検出部３および車両状態検出部４からの情報に基づいて、運転状況の把握を行い、所定条件の下で指令信号Ｓを出力する情報処理手段５と、その指令信号Ｓに基づいて作動しドライバに指令を伝達する情報伝達部６と、を備えている。
【００２２】
そして、この運転支援システムは、地図情報が格納されている地図情報格納部７と、ドライバに関する情報およびルール情報が格納されているドライバおよびルール情報格納部８とを有し、情報処理手段５は、地図情報格納部７の地図情報と、ドライバおよびルール情報格納部８の情報とを参照して、運転状況の把握を行う。次に図２を参照してさらに詳細に説明する。
【００２３】
図２はこの発明の構成をさらに詳細に示す図である。図に示すように、先ずカーナビゲーション部１は、位置測定部１１での高精度位置検出結果を用いて最適ルートの探索を行い、目的地と運行時間を考慮したルートガイダンスを行う。
【００２４】
次にドライバモニタリング部２は、生体センサ、ＣＣＤカメラ、レーザセンサ、圧力センサ等を用いてドライバをモニタし、ドライバの足の位置（例えばブレーキにあるか、アクセルにあるか）、手の位置、視線、まばたき、ステアリングホイールの角度、ブレーキペダル踏み度等の検出を行う。
【００２５】
また、外部環境検出部３は、レーザレーダ、ミリ波レーダ、ＣＣＤカメラ、スキャニングレーダ、明度センサ等を用いて車両外部の環境、例えば外界状態（外気温度、雨等）、障害物の有無、障害物があればその位置と速度等の検出を行う。
【００２６】
さらに、車両状態検出部４は、各種センサやエンコーダを用いて、車両の挙動や状態、例えば速度、加速度、減速度、ヨーレート、ステアリング角、方向指示器、ワイパー、スロットル開度、ギア位置等の検出を行う。
【００２７】
また、地図情報格納部７とドライバおよびルール情報格納部８とは、ハードディスクのような大容量記憶装置内に構築されている。
【００２８】
地図情報格納部７には、ナビゲーション地図、道路地形、交通標識情報、交通規制情報、踏切情報等が格納され、高精度の地図情報を所有し、例えば１０Ｈｚの高更新周期で位置測定部からの位置情報を受けて、随時現在位置を追跡しその情報をカーナビゲーション部１や情報処理手段５に提供している。
【００２９】
ドライバおよびルール情報格納部８には、運転アドバイスルールや規範ドライバモデルが格納され、またドライバ特性（例えばアクセルからブレーキペダルへの足の移動タイミング）、ドライバの年齢、視力、運転経験、ドライバ状態等が格納されている。運転アドバイスルールは、情報提供、注意、警告、制御支援などの運転支援を、運転の様々な情況やドライバの情報などに応じて、どのような支援を優先的に、どのように出力するかを決定するものである。規範ドライバモデルは、例えば、運転教習所の運転指導員が教える模範となるドライバの運転行動をモデル化したものであり、例えばブレーキの開始位置や減速・停止の仕方、車感距離の取り方、左右の確認位置や右左折の方法、ウインカの提示位置などがモデルとして格納されている。また、ドライバ特性、年齢、視力、運転経験、ドライバ状態は、例えば現在運転しているドライバについての情報で、ドライバのブレーキタイミングやブレーキのかけ方など、模範ドライバモデルからのずれを含めた情報や、運転支援のために有用となる、年齢や視力、運転経験、自己申告のドライバ状態などが格納されている。
【００３０】
情報処理手段５は、例えば本発明に係るソフトウェアに従って動作するＣＰＵを中心に構成されている。そして、地図情報格納部７とドライバおよびルール情報格納部８とからの情報を参照しつつ、カーナビゲーション部１、ドライバモニタリング部２、外部環境検出部３および車両状態検出部４からの情報に基づいて、運転状況の把握を行い、所定条件の下で指令信号Ｓを出力する。
【００３１】
この指令信号Ｓは、ヒューマンマシンインターフェースとしての情報伝達部６に送られる。情報伝達部６は、例えば車両内部に設けられたスピーカ、インジケータ、ディスプレイ、振動素子等や、アクチュエータ（ステアリング、ブレーキ、スロットル）であり、これらの装置や部材を指令信号Ｓで制御し動作させることで、ドライバに対して、認知誘導、情報提供、注意、警告、制御支援等を行う。
【００３２】
このように、本発明では、カーナビゲーション情報、ドライバ動作のモニタリング情報、外部環境情報および車両状態検出情報に基づいて把握した運転状況によって、ドライバに指令するようにしたので、ドライバの個人差や状況による違いまで考慮することができ、したがって、ドライバに、よりきめ細かく適応した、親切ではあるがお節介ではない運転支援を行うことができるようになる。ドライバの特性は個々で異なり、ドライバの状態も常に変化しているが、このことを考慮に入れた運転支援となるので、ドライバの受容性を含めた最適な反応を導き出すようなシステムとすることができる。
【００３３】
運転における認知、判断、操作の能力は、個々のドライバの特性によって大きく異なっており、概して高齢者の認知、判断、操作における遅れは、若年者のそれらに比べて大きくなる傾向にあり、その正確さも若年者に比べて劣る傾向にあるが、これらの傾向もこの運転支援システムには的確に反映されるようになり、あらゆるドライバに対して適切な運転支援が可能となる。
【００３４】
次に、この発明のより具体的な適用例を図３、図４を用いて説明する。
【００３５】
図３は一時停止位置に車両が接近した場合の運転支援の例を示す図である。図において、横軸は一時停止位置に対する車両の位置を、縦軸は車両の速度をそれぞれ示している。ここでは、一時停止のあるＴ字路交差点を右折または左折することを想定している。ドライバの運転行動は、ウィンカ（方向指示器）を操作し（図中、方向指示器操作位置）、ブレーキペダルを踏むように足位置を変え（図中Ｐ１位置）、一時停止位置で停止するようにブレーキを踏んで減速して、停止することとなる。その後は、左右の確認をして発進となる。
【００３６】
なお、ウィンカの操作タイミングは、車両位置を基準に、操作遅れの場合には、その指摘や警告を与え、さらには目標経路が既知であれば、自動的に支援システムがウィンカ操作することも考えられる。
【００３７】
定常走行状態から、停止位置への接近を順に追って解説する。先ず、この発明では、情報処理手段５は、カーナビゲーション部１から一時停止位置情報を受けた場合、運転状況の把握に基づいて、この先減速が必要となるという情報を提供するタイミングを決定する情報提供ラインＬ１を生成し、その情報提供ラインＬ１に基づいて指令信号を出力し、ドライバに一時停止位置に接近している旨を伝える。この情報提供ラインＬ１は、一時停止位置に接近している自車両の速度が適正であるか否かを判定する基準となるラインであり、速度が常時適正であれば、情報の提供はなされない。また、この情報提供ラインＬ１はドライバの動作情報により判定したドライバの覚醒度合に応じて設定されるので、所定の領域を形成するようになる。図３においては、車両が一時停止位置に向かい、この情報提供ラインＬ１を越えて情報提供ラインＬ１の右側の領域に入ると、この先減速が必要となるという情報が、スピーカ等を通して提供される。車両速度が低速のときは、一時停止位置に寄った位置で情報提供ラインＬ１を越えるようになる。
【００３８】
続いて、情報処理手段５は、ドライバの通常の減速度情報およびドライバの通常の反応時間情報に基づいて減速注意指示ラインＬ２を生成し、情報提供ラインＬ１に基づく指令信号の出力後その減速注意指示ラインに基づいて指令信号を出力し、ドライバに減速が必要である旨を伝える。例えばＰ１の位置でブレーキペダルへの足位置の踏み替えがあると、ドライバの反応時間ｔ１の間はそのままの速度で走行し、空走距離Ｌｆ１となる。その後ブレーキが作用しそのドライバの通常の減速度αｎで減速され、最終的に一時停止位置に停止することになる。すなわち、減速注意指示ラインＬ２の開始位置は、一時停止位置までの距離Ｌで現すと次式（１）となる。
【００３９】
Ｌ＝ｖ０＊ｔ１＋ｖ０２／（２＊αｎ）  （１）
【００４０】
ここで、ｖ０：進入速度（ｍ／ｓ）、ｔ１：ドライバの反応時間（ｓ）、αｎ：減速度（ｍ／ｓ２）である。ドライバによって、通常の減速度αｎが異なり、また、反応時間ｔ１も異なり、さらにドライバの動作情報により判定したドライバの覚醒度合に応じて設定されるので、この減速注意指示ラインＬ２の場合も、上記の情報提供ラインＬ１の場合と同様に、所定の領域を形成する。
【００４１】
また、ドライバの運転操作として、足位置をブレーキペダル上に置く動作が必要であるため、これをドライバモニタによって検出することで、支援のレベルを上下することも可能となる。例えば、情報提供の時点で早期に足位置の変化が検出されれば、減速注意指示を抑制し（減速注意指示ラインＬ２を図３で右側に移行させ）、また、足位置の変化がまったく無い場合には、減速注意指示を早めに行い（減速注意指示ラインＬ２を図３で左側に移行させ）、次の警告に早く移行することが考えられる。
【００４２】
次に、情報処理手段５は、ドライバの緊急時の減速度情報およびドライバの緊急時の反応時間情報に基づいてブレーキ警告ラインＬ３を生成し、減速注意指示ラインＬ２に基づく指令信号の出力後そのブレーキ警告ラインＬ３に基づいて指令信号を出力し、ドライバに速やかなブレーキ操作が必要である旨を伝える。このブレーキ警告は、緊急時の制動距離：Ｌｅ（ｍ）と空走距離：Ｌｆ２（ｍ）を加えた距離までの領域に設定している。この部分でも、ドライバの状態や覚醒度合いによって、Ｌｆ２を変化させることが可能である。
【００４３】
最後に、情報処理手段５は、緊急時制動距離情報、路面状況情報に基づいてブレーキ制御支援ラインＬ４を生成し、ブレーキ警告ラインＬ３に基づく指令信号の出力後そのブレーキ制御支援ラインＬ４に基づいて指令信号を出力し、緊急ブレーキ制御を自動で行う。このブレーキ制御支援ラインＬ４は、停止位置での停止に最低必要な距離である緊急時の制動距離：Ｌｅ（ｍ）を基準としている。
【００４４】
本来、車両重量やタイヤの摩耗などによって、距離の差が生ずるが、簡易的に以下の式（２）で示すことができる［１３］。
【００４５】
Ｌｅ＝ｖ２／（２＊ｇ＊μ）    （２）
【００４６】
ここで、ｖ：速度（ｍ／ｓ）、ｇ：重力加速度（ｍ／ｓ２）、μ：路面とタイヤの摩擦係数である。図３における緊急減速度αｅはｇ＊μとなる。路面とタイヤの摩擦係数は、乾燥路面では０．８程度であるが、雨の降り始めは、泥や埃の湿った年度の高い水膜により、摩擦係数が急激に０．４程度にまで小さくなることが知られている。その後は、泥や埃が洗い流された状態の路面では、０．５５〜０．６程度になるとされている。雨量と摩擦係数の関係は必ずしも明確ではないが、水のたまった路面を高速走行するとハイドロ・プレーニング現象が起き制動距離が延びることが知られている。そこで運転支援システムの構成例に示すように、ワイパーのスイッチと連動し、この値を適当に変化させることで、環境状況の変化に対応することができる。最後は緊急ブレーキ制御を自動で行うことになる。
【００４７】
上記の説明では、車両が一時停止位置で停止する場合の運転支援について説明したが、他の場合、例えば車両の前方に障害物があり、その手前で停止する必要がある場合や、図４に示すように自車と前方車両との距離が接近する場合にも、同様にこの運転支援システムを適用することができる。図３の一時停止位置で停止する場合との相違点は、カーナビゲーションや地図情報などからの位置情報ではなく、先行車との距離情報や相対速度の情報を用いて運転を支援している点で、先行車との距離と速度、ドライバの操作情況や状態などに応じて、運転支援を行うものである。
【００４８】
以上述べたように、この発明では、カーナビゲーション情報、ドライバ動作のモニタリング情報、外部環境情報および車両状態検出情報に基づいて把握した運転状況によって、ドライバに指令するようにしたので、ドライバの個人差や状況による違いまで考慮することができ、したがって、よりきめ細かくドライバに適応した、親切ではあるがお節介ではない運転支援を行うことができる。
【００４９】
また、一時停止位置情報、車両前方の障害物情報、また前方車両までの距離情報を受けた場合、この先減速が必要となるという情報を提供するタイミングを決定する情報提供ラインに基づいて、ドライバに指令するようにしたので、的確なタイミングで指令を出すことができる。
【００５０】
また、車両が一時停止位置、障害物または前方車両に接近するに応じて、情報提供ラインＬ１、減速注意指示ラインＬ２、ブレーキ警告ラインＬ３、ブレーキ制御支援ラインＬ４を生成するようにしたので、運転状況に応じて順次指令内容が変化し、運転支援をより一層的確なものとすることができる。
【００５１】
さらに、減速注意指示ラインＬ２は、ドライバが足をブレーキペダルの上に置いているかどうかの情報に応じて生成されるので、ドライバの運転操作特性が考慮され、したがって、運転支援を一層きめ細かく的確なものとすることができる。
【００５２】
また、情報提供ラインＬ１および減速注意指示ラインＬ２の生成にあたっては、ドライバの動作情報により判定したドライバの覚醒度合いまで考慮しているので、自車両との距離だけで警告する従来の場合に比べて、より一層きめ細かくドライバに適応した運転支援を行うことができる。
【図面の簡単な説明】
【００５３】
【図１】この発明の運転支援システムの構成を示すブロック図である。
【図２】この発明の構成をさらに詳細に示す図である。
【図３】一時停止位置に車両が接近した場合の運転支援の例を示す図である。
【図４】自車と前方車両との距離が接近する場合の運転支援の例を示す図である。
【符号の説明】
【００５４】
１  カーナビゲーション部
２  ドライバモニタリング部
３  外部環境検出部
４  車両状態検出部
５  情報処理手段
６  情報伝達部
７  地図情報格納部
８  ドライバおよびルール情報格納部
１１  位置測定部
Ｌ１  情報提供ライン
Ｌ２  減速注意指示ライン
Ｌ３  ブレーキ警告ライン
Ｌ４  ブレーキ制御支援ライン
【図１】
2005209073.tif 000003
【図２】
2005209073.tif 000004
【図３】
2005209073.tif 000005
【図４】
2005209073.tif 000006